(57)【要約】【課題】組み付け作業を煩雑にすることなく発光素子の光軸が所定の方向に向けられるように組み付けすることができる発光素子の電気接続構造を提供すること。【解決手段】一対のバスバー４０ｆ，４０ｒが発光素子３００の２極の電極３００ａに接続し、かつ発光素子３００を固定するとともに、電源供給導電路１００に電気的に接続されてなる発光素子の電気接続構造１において、電源供給導電路１００は、各バスバー４０ｆ，４０ｒに接続されるように並んで配置されてなる一対の突出端子１１０を有し、各バスバー４０ｆ，４０ｒは、弾性的に開閉される一対の挟持片８１によって突出端子１１０を挟持することによって突出端子１１０に接続固定される端子接続用挟持部８０を有してなり、発光素子３００が固定された一対のバスバー４０ｆ，４０ｒが端子接続用挟持部８０によって一対の突出端子１１０に接続された場合、発光素子３００の光軸が所定の方向に向けられる。【選択図】図３
2014154536.tif 000002
【特許請求の範囲】
【請求項１】
一対のバスバーが光源となる発光素子を間にして並んで配置された状態で該発光素子の２極の電極に接続し、かつ前記発光素子を固定するとともに、電源に接続される導電路である電源供給導電路に電気的に接続されてなる発光素子の電気接続構造において、
前記電源供給導電路は、
前記一対のバスバーの各バスバーに接続されるように該一対のバスバーの並び方向に沿って並んで配置されてなる一対の突出端子を有し、
前記各バスバーは、
弾性的に開閉される一対の挟持片によって前記突出端子を挟持することによって前記突出端子に接続固定される端子接続用挟持部
を有してなり、
前記発光素子が固定された前記一対のバスバーが前記端子接続用挟持部によって前記一対の突出端子に接続された場合、前記発光素子の光軸が所定の方向に向けられることを特徴とする発光素子の電気接続構造。
【請求項２】
前記各バスバーは、
前記発光素子が固定される部分に対して前記一対の挟持片の先端の向きが所定の向きに向けられることによって前記発光素子の光軸方向が調整されてなることを特徴とする請求項１に記載の発光素子の電気接続構造。
【請求項３】
前記各バスバーの前記一対の挟持片は、
前記一対のバスバーの並び方向に直交する方向に平行な状態で所定の向きに向けられてなることを特徴とする請求項２に記載の発光素子の電気接続構造。
【請求項４】
前記一対のバスバーの各端子接続用挟持部は、
前記一対の挟持片が先端を前記突出端子の突出方向に対して斜め方向に向けるようにして前記突出端子を挟持してなり、
前記一対のバスバーが前記一対の突出端子の突出方向に対して斜めに傾斜して並ぶことによって前記発光素子の光軸方向が調整されてなることを特徴とする請求項１、２、または３に記載の発光素子の電気接続構造。
【発明の詳細な説明】
【技術分野】
【０００１】
本発明は、一対のバスバーが光源となる発光素子に接続するとともに、電源に接続される導電路である電源供給導電路に電気的に接続されてなる発光素子の電気接続構造に関する。
【背景技術】
【０００２】
従来、照明装置等に用いられる発光素子の電気接続構造としては、ＬＥＤ（Ｌｉｇｈｔ  Ｅｍｉｔｔｉｎｇ  Ｄｉｏｄｅ）等の発光素子と、電源に接続される導電路である電源供給導電路との間にフレキシブル配線板、あるいは導電部材であるバスバーを介して電源供給導電路に接続させるようにしたものがある（例えば、特許文献１および特許文献２参照）。
【０００３】
特許文献１に記載された発光素子の電気接続構造は、フレキシブル配線の柔軟性を利用して発光素子の光軸の向きを調整することが可能である。
また、特許文献２記載された発光素子の接続構造においても、電源供給導電路に接続される電線の柔軟性を利用して発光素子の光軸の向きを調整することが可能である。
【先行技術文献】
【特許文献】
【０００４】
【特許文献１】特開２０１１−２３５６８５号公報
【特許文献２】特開２０１２−１０９１６３号公報
【発明の概要】
【発明が解決しようとする課題】
【０００５】
しかしながら、上述した従来の発光素子の電気接続構造では、発光素子の電気接続構造を組み付ける際、フレキシブル配線板、あるいはバスバーを電源供給導電路へ接続するとともに、発光素子の光軸が所定の方向に向けられるように発光素子の取り付け部分周辺を固定するという２ステップの作業が必要であり、しかもフレキシブル配線板、あるいは電線のかみこみに注意しながら組み付け作業を行う必要があるため、組み付け作業が煩雑になってしまうという問題があった。
【０００６】
本発明は、上記に鑑みてなされたものであって、組み付け作業を煩雑にすることなく発光素子の光軸が所定の方向に向けられるように組み付けすることができる発光素子の電気接続構造を提供することを目的とする。
【課題を解決するための手段】
【０００７】
上述した課題を解決し、目的を達成するために、本発明の請求項１に係る発光素子の電気接続構造は、一対のバスバーが光源となる発光素子を間にして並んで配置された状態で該発光素子の２極の電極に接続し、かつ前記発光素子を固定するとともに、電源に接続される導電路である電源供給導電路に電気的に接続されてなる発光素子の電気接続構造において、前記電源供給導電路は、前記一対のバスバーの各バスバーに接続されるように該一対のバスバーの並び方向に沿って並んで配置されてなる一対の突出端子を有し、前記各バスバーは、弾性的に開閉される一対の挟持片によって前記突出端子を挟持することによって前記突出端子に接続固定される端子接続用挟持部を有してなり、前記発光素子が固定された前記一対のバスバーが前記端子接続用挟持部によって前記一対の突出端子に接続された場合、前記発光素子の光軸が所定の方向に向けられることを特徴とする。
【０００８】
また、本発明の請求項２に係る発光素子の電気接続構造は、上記の発明において、前記各バスバーは、前記発光素子が固定される部分に対して前記一対の挟持片の先端の向きが所定の向きに向けられることによって前記発光素子の光軸方向が調整されてなることを特徴とする。
【０００９】
また、本発明の請求項３に係る発光素子の電気接続構造は、上記の発明において、前記各バスバーの前記一対の挟持片は、前記一対のバスバーの並び方向に直交する方向に平行な状態で所定の向きに向けられてなることを特徴とする。
【００１０】
また、本発明の請求項４に係る発光素子の電気接続構造は、上記の発明において、前記一対のバスバーの各端子接続用挟持部は、前記一対の挟持片が先端を前記突出端子の突出方向に対して斜め方向に向けるようにして前記突出端子を挟持してなり、前記一対のバスバーが前記一対の突出端子の突出方向に対して斜めに傾斜して並ぶことによって前記発光素子の光軸方向が調整されてなることを特徴とする。
【発明の効果】
【００１１】
本発明の請求項１に係る発光素子の電気接続構造１は、前記一対の挟持片が前記突出端子を挟持することによって前記バスバーが前記突出端子に接続固定される場合、前記一対の挟持片が前記突出端子の突出方向に対して先端の向きが所定の角度に設定されることによって、前記発光素子の光軸がターゲット内の所定の方向に向けられるとともに、前記各バスバーが前記電源供給導電路に接続されるので、前記一対のバスバーを前記電源供給導電路に接続するという１ステップの組み付け動作で、前記発光素子の光軸の向きが設定され、しかも前記一対のバスバーが、電線、あるいはフレキシブル配線板等の柔軟性のある部材を介在させず直接的に前記電源供給導電路に接続されるため、柔軟性のある部材によるかみこみが発生しないので、組み付け作業を煩雑にすることなく発光素子の光軸が所定の方向に向けられるように組み付けすることができる。
【００１２】
本発明の請求項２に係る発光素子の電気接続構造は、前記発光素子が固定される部分に対して前記一対の挟持片の先端の向きを予め設定することによって、組み付け作業をより容易にすることができる。
【００１３】
本発明の請求項３に係る発光素子の電気接続構造は、前記一対のバスバーが互いに干渉され難いように前記各バスバーの前記一対の挟持片が方向付けられているため、一対のバスバーが並んで配置された場合に互いに干渉され難くすることができる。
【００１４】
本発明の請求項４に係る発光素子の電気接続構造は、前記突出端子の突出方向と、前記一対の挟持片の先端の方向との間の角度を調整することによって、前記発光素子の光軸方向の調整を容易に行うことができる。
【図面の簡単な説明】
【００１５】
【図１】図１は、本発明の実施例に係る発光素子の電気接続構造が組み込まれた照明装置の分解斜視図である。
【図２】図２は、図１に示した照明装置の意匠部を取り付ける前の状態を意匠面側から視た図である。
【図３】図３は、図２に示した発光素子ユニットの周辺を拡大した図である。
【図４】図４は、図３に示した照明装置を左側から視た図である。
【図５】図５は、図１に示したユニット設置部の周辺を拡大した図である。
【図６】図６は、図２に示した照明装置のＢ−Ｂ線断面図である。
【図７】図７は、図２に示した照明装置のＡ−Ａ線断面図である。
【図８】図８は、図１に示した発光素子ユニットの分解斜視図である。
【図９】図９は、（ａ）が、図１に示した発光素子ユニットをレンズ側から視た斜視図であり、（ｂ）が、図１に示した発光素子ユニットをレンズ裏面側から視た斜視図である。
【図１０】図１０は、図２に示した一対のバスバーのうち一方のバスバーを示した図である。
【図１１】図１１は、発光素子ユニットの組み付け手順を示した図である。
【図１２】図１２は、発光素子ユニットの組み付け手順を示した図である。
【図１３】図１３は、照明装置の組み付け手順を示した図である。
【図１４】図１４は、照明装置の組み付け手順を示した図である。
【図１５】図１５は、本発明の実施例に係る発光素子の電気接続構造の変形例の発光素子の電気接続構造を示した図である。
【図１６】図１６は、（ａ）が、図１５に示した発光素子の電気接続構造の図６に対応した断面図であり、（ｂ）が図１５に示した発光素子の電気接続構造の図７に対応した断面図である。
【発明を実施するための形態】
【００１６】
以下、図面を参照して、本発明に係る発光素子の電気接続構造の好適な実施例を詳細に説明する。
図１は、本発明の実施例に係る発光素子の電気接続構造１が組み込まれた照明装置６００の分解斜視図である。図２は、図１に示した照明装置６００の意匠部１０を取り付ける前の状態を意匠面側から視た図である。図３は、図２に示した発光素子ユニット３０の周辺を拡大した図である。図４は、図３に示した照明装置６００を左側から視た図である。図５は、図１に示したユニット設置部２１０の周辺を拡大した図である。図６は、図２に示した照明装置６００のＢ−Ｂ線断面図である。図７は、図２に示した照明装置６００のＡ−Ａ線断面図である。図８は、図１に示した発光素子ユニット３０の分解斜視図である。図９は、（ａ）が、図１に示した発光素子ユニット３０をレンズ３１側から視た斜視図であり、（ｂ）が、図１に示した発光素子ユニット３０をレンズ３１裏面側から視た斜視図である。図１０は、図２に示した一対のバスバー４０ｆ，４０ｒのうち一方のバスバー４０ｆを示した図である。
なお、便宜上、図中に示すように前後、左右及び上下方向を定義する。
本発明の実施例に係る発光素子の電気接続構造１は、一対のバスバー４０ｆ，４０ｒがＬＥＤ等の発光素子３００を間にして並んで配置された状態で発光素子３００の２極の電極３００ａ，３００ａに接続し、かつ発光素子３００を固定するとともに、不図示の電源に接続される導電路である電源供給導電路１００に電気的に接続されてなるものであり、例えば自動車等の室内に設けられる照明装置６００に組み込まれものである。
【００１７】
この照明装置６００は、図１に示すように、意匠部１０と、照明機能部２０と、電源供給導電路１００と、照明装置６００を室内天井等の取り付け先に固定するための複数のクリップ１２と、を有してなる。
【００１８】
意匠部１０は、照明装置６００の各部のうち室内側に設けられることによって意匠部分を構成するとともに、発光素子３００から出射された光を集光するレンズ機能を有してなる。
この意匠部１０は、３つの操作スイッチ１１が露出されるスイッチ取付部１０ａが各操作スイッチ１１に対応して３箇所に設けられている。
【００１９】
照明機能部２０は、発光素子３００を含む二つの発光素子ユニット３０，３０と、電源供給導電路１００と、二つの発光素子ユニット３０，３０および電源供給導電路１００が収容されるハウジング２００と、を有してなる。
【００２０】
各発光素子ユニット３０は、図８および図９に示すように、一対のバスバー４０ｆ，４０ｒと、発光素子３００と、ツェナーダイオード４００と、二つの抵抗５００と、レンズ３１と、ユニットハウジング９０と、を有してなる。
なお、二つの発光素子ユニット３０，３０は同様な構成であるため、右側に配置される発光素子ユニット３０について詳細に説明し、左側に配置される発光素子ユニット３０につついては説明を省略する。
【００２１】
一対のバスバー４０ｆ，４０ｒの各バスバー４０ｆ，４０ｒは、導電性の板状部材が曲げあるいは打ち抜き等のプレス加工によって成形されたものである。
ここで、一対のバスバー４０ｆ，４０ｒについてより詳細に説明する。
なお、一対のバスバー４０ｆ，４０ｒは、互いの形状が並び間隔の中心線に対して鏡面対称形状になっているため、図４中、前側に配置されるバスバー４０ｆ（以下、前側バスバー４０ｆという。）について詳細に説明し、後側に配置されるバスバー４０ｒ（以下、後側バスバー４０ｒという。）の説明を省略する。
【００２２】
前側バスバー４０ｆは、図１０に示すように、発光素子３００の一方の電極３００ａに接続しつつ発光素子３００を固定する発光素子接続固定部５０と、ツェナーダイオード４００の一方の電極４００ａに接続しつつツェナーダイオード４００を固定するツェナーダイオード接続固定部６０と、抵抗５００の２つの接点５００ａ，５００ａに接続されるように抵抗５００を固定する抵抗接続固定部７０と、電源供給導電路１００の後述する突出端子１１０に接続固定される端子接続用挟持部８０と、を有してなる。
【００２３】
前側バスバー４０ｆは、発光素子接続固定部５０およびツェナーダイオード接続固定部６０が前側バスバー４０ｆの右端縁に発光素子の挿入口、およびツェナーダイオードの挿入口が上下に並ぶように設けられ、その左方に抵抗接続固定部と、端子接続用挟持部８０とが順次連接されてなる。
【００２４】
このような前側バスバー４０ｆは、左右方向で、右端側の発光素子接続固定部５０およびツェナーダイオード接続固定部６０から、その左方に連接される抵抗接続固定部７０までの区間がＵ字状に屈曲されてなる。
このため、前側バスバー４０ｆは、Ｕ字状に屈曲された区間で、前後方向で向かい合う外側壁４１と、内側壁４２とが形成されるようになっている。この外側壁４１および内側壁４２は、前側バスバー４０ｆが後側バスバー４０ｒに並んで配置された場合、前側バスバー４０ｆの外側壁４１が外側に位置され、内側壁４２が内側に位置されるようになっている。
また、外側壁４１および内側壁４２は、打ち抜き加工がさらに施されることによって発光素子接続固定部５０と、ツェナーダイオード接続固定部６０と、抵抗接続固定部７０とが成形されるようになっている。
【００２５】
発光素子接続固定部５０は、発光素子３００の一方の電極３００ａに向けて弾性的に付勢力が作用されながら発光素子３００の一方の電極３００ａに接続される発光素子接続用弾性接触片５１と、発光素子接続用弾性接触片５１によって下方に向けた力が負荷された発光素子３００の下面が当接される発光素子当接迫出し壁部５２と、を有してなる。
【００２６】
発光素子接続用弾性接触片５１は、内側壁４２の一部が片状に成形されるように打ち抜かれ、その先端部に下方に頂点を有する三角形状部が形成されてなる。この発光素子接続用弾性接触片５１は、この三角形状部の頂点が発光素子３００の一方の電極３００ａに接続される接点になっている。
【００２７】
発光素子当接迫出し壁部５２は、外側壁４１と内側壁４２との間で発光素子接続用弾性接触片５１を形成するための打ち抜き加工が施されることによって、発光素子接続用弾性接触片５１から切り離されてできた端部が外側壁４１に対して内側直角方向に迫出すように成形された壁である。
この発光素子当接迫出し壁部５２は、光の照射方向で発光素子３００の発光部に干渉されないように円弧状に切り欠かれた光通過用切り欠き部５２ａが形成されている。
【００２８】
このような発光素子接続固定部５０は、発光素子接続用弾性接触片５１と、発光素子当接迫出し壁部５２とで発光素子３００の一方の電極３００ａに接続しつつ発光素子３００を挟持固定するようになっている。
【００２９】
ツェナーダイオード接続固定部６０は、ツェナーダイオード４００の一方の電極４００ａに向けて弾性的に付勢力が作用されながらツェナーダイオード４００の一方の電極４００ａに接続されるツェナーダイオード接続用弾性接触片６１と、ツェナーダイオード接続用弾性接触片６１によって上方に向けた力が負荷されたツェナーダイオード４００の上面が当接されるツェナーダイオード当接片部６２と、を有してなる。
【００３０】
ツェナーダイオード接続用弾性接触片６１は、外側壁４１の一部が片状に成形されるように打ち抜かれ、その先端部に上方に頂点を有する三角形状部が形成されてなる。このツェナーダイオード接続用弾性接触片６１は、この三角形状部の頂点がツェナーダイオード４００の一方の電極４００ａに接続される接点になっている。
【００３１】
ツェナーダイオード当接片部６２は、ツェナーダイオード接続用弾性接触片６１を形成するため打ち抜き加工が施されることによって、ツェナーダイオード接続用弾性接触片６１から切り離された外側壁４１の一部である。
【００３２】
このようなツェナーダイオード接続固定部６０は、ツェナーダイオード接続用弾性接触片６１と、ツェナーダイオード当接片部６２とでツェナーダイオード４００の一方の電極４００ａに接続しつつツェナーダイオード４００を挟持固定するようになっている。
【００３３】
端子接続用挟持部８０は、弾性的に開閉される一対の挟持片８１，８１によって突出端子１１０を挟持することによって突出端子１１０に接続固定される部分である。
一対の挟持片８１，８１は、先端とは逆側端部が連結部８２によって弾性的に開閉可能に連結され、かつ先端に向けて互いの間隔を狭めるように対峙されてなる。
【００３４】
また、各端子接続用挟持部８０は、発光素子３００が固定される部分となる発光素子接続固定部５０に対して一対の挟持片８１，８１の先端の向きが所定の向きに向けられている。これによって、発光素子３００の光軸方向が調整されるようになっている。
なお、この実施例では、図６に示すように、一対の挟持片８１，８１の先端の向き（図中、矢印Ａ参照）が光軸の向き（図中、矢印Ｂ参照）に対して所定の角度で傾斜されるように調整されている。
【００３５】
また、各端子接続用挟持部８０は、一対の挟持片８１，８１が先端を突出端子１１０の突出方向に対して斜め方向に向けるようにして突出端子１１０を挟持してなり、一対のバスバー４０ｆ，４０ｒが突出端子１１０の突出方向に対して斜めに傾斜して並ぶことによって発光素子３００の光軸方向が調整されるようになっている。
なお、各挟持片８１が外側壁４１と内側壁４２との間隔に比して大きい幅になっている。このように各挟持片８１の幅ができるだけ大きく設定することによって、一対の挟持片８１，８１が各突出端子１１０の突出方向に対して斜めに傾いた状態で各突出端子１１０を挟持する場合であっても、各突出端子１１０に確実に固定されるための接触面積を確保することができる。
【００３６】
このような一対のバスバー４０ｆ，４０ｒの各端子接続用挟持部８０は、一対の挟持片８１，８１が一対のバスバー４０ｆ，４０ｒの並び方向に直交する方向に平行な状態で所定の向きに向けられてなることによって、一対のバスバー４０ｆ，４０ｒが並んで配置した場合に互いに干渉され難いようになっている。
【００３７】
ユニットハウジング９０は、絶縁性の樹脂材料からなり、発光素子ユニット３０の各部が収容されるとともにレンズ３１が取り付けられるブロック状の筐体である。
このユニットハウジング９０は、ほぼ矩形状の底壁９１と、底壁９１の４辺のそれぞれから立設された、右壁９２と、右壁９２と向かい合う左壁９３と、向かい合う一対の側壁９４，９４とを有してなる。ユニットハウジング９０は、これらの壁９１，９２，９３，９４によって形成された収容空間が、隔壁９５によって仕切られることによって各バスバー４０ｆ，４０ｒが収容される一対のバスバー収容部９６が形成されるとともに下面に一対のバスバー４０ｆ，４０ｒが挿入可能な開口部９０ａが形成されるようになっている。
【００３８】
右壁９２は、発光素子３００の挿入口となる発光素子挿入口９２ａ、およびツェナーダイオード４００の挿入口となるツェナーダイオード挿入口９２ｂが上下に並んで形成されている。
また、底壁９１は、各抵抗５００の挿入口となる抵抗挿入口９１ａが２箇所に形成されている。
【００３９】
また、ユニットハウジング９０は、各バスバー収容部９６の端子接続用挟持部８０が収容される部分となる端子接続側収容部９６ａが端子接続用挟持部８０の幅に対応して幅を拡大するように形成されている。
また、ユニットハウジング９０の底壁９１の端子接続側収容部９６ａに対応する部分には各端子接続用挟持部８０の一対の挟持片８１，８１の先端縁面８１ａに面一になるように傾斜されてなる傾斜面部９１ｂが形成されている。
この傾斜面部９１ｂには、一対の突出端子１１０が挿入される部分となる端子挿入用開口部９１ｃが形成されている。
【００４０】
電源供給導電路１００は、導電性の板状部材が曲げあるいは打ち抜き等のプレス加工によって成形されたものであり、各バスバー４０に接続される突出端子１１０と、不図示の電源に接続される外部接続端子１１１と、を有してなる。
この電源供給導電路１００には、各発光素子ユニット３０の一対のバスバー４０ｆ，４０ｒの各バスバー４０ｆ，４０ｒに接続される一対の舌片状の突出端子１１０が各発光素子ユニット３０のセット位置に対応して２組設けられている。
【００４１】
ハウジング２００は、下面が意匠部１０を嵌め込み可能に開口された箱形形状をなす絶縁性の樹脂材料からなり、電源供給導電路１００、および二つの発光素子ユニット３０が内部に収容されるようになっている。
このハウジング２００は、図１に示すように、各発光素子ユニット３０が設置される部分となる二箇所のユニット設置部２１０，２１０が左右方向に間隔を空けて設けられている。
ここで、二箇所のユニット設置部２１０，２１０は、左右対称構成であるため、左側のユニット設置部２１０について詳細に説明し、右側のユニット設置部２１０については説明を省略する。
【００４２】
ユニット設置部２１０は、図５に示すように、発光素子ユニット３０が載置されるユニット載置部２１１と、発光素子ユニット３０をユニット設置部２１０に設置する際の位置決めガイドとして機能される位置決めガイド壁２１３と、を有してなる。
このユニット載置部２１１は、発光素子ユニット３０の傾斜面部９１ｂが載置されるとともに一対の突出端子１１０の先端部分が露出されるように一対の突出端子１１０，１１０を保持する部分となる突出端子保持部２１２を有してなる。
【００４３】
また、ユニット載置部２１１は、発光素子ユニット３０が載置される載置面２１１ａがユニットハウジング９０の底壁９１の底面形状に対応して屈曲された面が形成されてなることによって、図６に示すように、発光素子３００の光軸が上下直線方向に対して左右方向に傾斜した向きに設定されるとともに、図７に示すように、発光素子３００の光軸が上下直線方向に対して前後方向に傾斜された向きに設定される。
すなわち、発光素子３００は、上下直線方向の軸に対して、前後直線方向の軸と、左右直線方向の軸との２軸方向で光軸が調整されるようになっている。
【００４４】
ここで、図１１および図１２を用いて、発光素子ユニット３０の組み付け手順について説明する。図１１および図１２は、発光素子ユニットの組み付け手順を示した図である。
まず、作業者は、ユニットハウジング９０の各バスバー収容部９６に一対のバスバー４０ｆ，４０ｒの各バスバー４０ｆ，４０ｒを収容する（図１１（ａ）参照）。この工程によって、各バスバー４０ｆ，４０ｒが並んで配置される。
【００４５】
その後、作業者は、ツェナーダイオード４００をツェナーダイオード挿入口９２ｂからユニットハウジング９０内に挿入することによってツェナーダイオード４００を一対のバスバー４０ｆ，４０ｒに電気的に接続させる（図１１（ｂ）参照）。この工程によって、ツェナーダイオード４００は、一対のツェナーダイオード接続用弾性接触片６１，６１と、一対のツェナーダイオード当接片部６２，６２とで挟持固定されつつ、各電極４００ａが各接点に接続される。
【００４６】
その後、作業者は、発光素子３００を発光素子挿入口９２ａからユニットハウジング９０内に挿入することによって発光素子３００を一対のバスバー４０ｆ，４０ｒに電気的に接続させる（図１１（ｃ）参照）。この工程によって、発光素子３００は、一対の発光素子接続用弾性接触片５１，５１と、一対の発光素子当接迫出し壁部５２，５２とで挟持固定されつつ、各電極３００ａが各接点に接続される。
【００４７】
その後、作業者は、各抵抗５００を各抵抗挿入口９１ａからユニットハウジング９０内に挿入することによって各抵抗５００を一対のバスバーに電気的に接続させる（図１２（ａ）参照）。
【００４８】
最後に、作業者は、レンズ３１を取り付けることによって発光素子ユニット３０の組み付けを完了させる（図１２（ｂ），（ｃ）参照）。
【００４９】
次に、図１３および図１４を用いて、照明装置６００の組み付け手順について説明する。図１３および図１４は、照明装置の組み付け手順を示した図である。
なお、図１４は、発光素子がハウジングに取り付けられる状態を拡大して示すとともに、ユニットハウジングを省略して示した図である。
【００５０】
まず、作業者は、二つの発光素子ユニット３０，３０をハウジング２００に取り付ける（図１３（ａ），図１４参照）。この工程では、図１４に示すように、各発光素子ユニット３０，３０を各ユニット設置部２１０，２１０に設置することによって、各発光素子ユニット３０の一対のバスバー４０ｆ，４０ｒの各端子接続用挟持部８０が各突出端子１１０を挟持し、各バスバー４０ｆ，４０ｒと各突出端子１１０とが電気的に接続される。
【００５１】
しかも、各発光素子ユニット３０の発光素子３００が上下直線方向の軸に対して、前後直線方向の軸と、左右直線方向の軸との２軸方向で光軸が調整され、発光素子３００の光軸が所定の方向に向けられる。すなわち、１ステップで、各バスバー４０ｆ，４０ｒと電源供給導電路１００とが電気的に接続されるとともに、発光素子３００の光軸が所定の方向に向けられるように一対のバスバー４０ｆ，４０ｒがハウジング２００内に固定される。
【００５２】
その後、作業者は、各操作スイッチ１１が組み込まれた状態の意匠部１０、および各クリップ１２をハウジング２００に取り付けることによって照明装置６００の組み付け作業を完了させる（図１３（ａ），（ｂ））。
【００５３】
本発明の実施例に係る発光素子の電気接続構造１は、一対の挟持片８１，８１が突出端子１１０を挟持することによって各バスバー４０ｆ，４０ｒが各突出端子１１０に接続固定される場合、一対の挟持片８１，８１が突出端子１１０の突出方向に対して先端の向きが所定の角度に設定されることによって、発光素子３００の光軸がターゲット内の所定の方向に向けられるとともに、各バスバー４０ｆ，４０ｒが電源供給導電路１００に接続されるので、一対のバスバー４０ｆ，４０ｒを電源供給導電路１００に接続するという１ステップの組み付け動作で、発光素子３００の光軸の向きが設定され、しかも一対のバスバー４０ｆ，４０ｒが、電線、あるいはフレキシブル配線板等の柔軟性のある部材を介在させず直接的に前記電源供給導電路１００に接続されるため、柔軟性のある部材によるかみこみが発生しないので、組み付け作業を煩雑にすることなく発光素子３００の光軸が所定の方向に向けられるように組み付けすることができる。
【００５４】
また、本発明の実施例に係る発光素子の電気接続構造１は、発光素子３００が固定される部分に対して一対の挟持片８１，８１の先端の向きを予め設定することによって、組み付け作業をより容易にすることができる。
【００５５】
また、本発明の実施例に係る発光素子の電気接続構造１は、一対のバスバー４０ｆ，４０ｒが互いに干渉され難いように各バスバー４０ｆ，４０ｒの一対の挟持片８１，８１が方向付けられているため、一対のバスバー４０ｆ，４０ｒが並んで配置された場合に互いに干渉され難くすることができる。
【００５６】
また、本発明の実施例に係る発光素子の電気接続構造１は、突出端子１１０の突出方向と、一対の挟持片８１，８１の先端の方向との間の角度を調整することによって、発光素子３００の光軸方向の調整を容易に行うことができる。
【００５７】
（変形例）
次に、図１５および図１６を用いて本発明の実施例に係る発光素子の電気接続構造１の変形例の発光素子の電気接続構造２について説明する。図１５は、本発明の実施例に係る発光素子の電気接続構造１の変形例の発光素子の電気接続構造２を示した図である。図１６は、（ａ）が、図１５に示した発光素子の電気接続構造２の図６に対応した断面図であり、（ｂ）が図１５に示した発光素子の電気接続構造２の図７に対応した断面図である。
この変形例の発光素子の電気接続構造２は、上下直線方向の軸に対して１軸方向で光軸が調整されている点で実施例の発光素子の電気接続構造１と異なる。
なお、その他の構成は実施例と同様であり、実施例と同一構成部分には同一符号を付している。
【００５８】
この発光素子の電気接続構造２は、図１６（ａ）に示すように、一対の挟持片８１，８１の先端の向き（図中、矢印Ａ参照）が光軸の向き（図中、矢印Ｂ参照）と平行になるように調整されている。
すなわち、発光素子の電気接続構造２は、上下直線方向の軸に対して前後直線方向の軸の１軸方向で光軸が調整されるようになっている。
【００５９】
この変形例の発光素子の電気接続構造２は、光軸が上下直線方向の軸に対して前後直線方向の軸の１軸方向のみの調整で所定の向きに調整可能な場合、実施例の発光素子の電気接続構造１と同様に、一対の挟持片８１，８１が突出端子１１０を挟持することによって各バスバー４０ｆ，４０ｒが各突出端子１１０に接続固定される場合、一対の挟持片８１，８１が突出端子１１０の突出方向に対して先端の向きが所定の角度に設定されることによって、発光素子３００の光軸がターゲット内の所定の方向に向けられるとともに、各バスバー４０ｆ，４０ｒが電源供給導電路１００に接続されるので、一対のバスバー４０ｆ，４０ｒを電源供給導電路１００に接続するという１ステップの組み付け動作で、発光素子３００の光軸の向きが設定され、しかも一対のバスバー４０ｆ，４０ｒが、電線、あるいはフレキシブル配線板等の柔軟性のある部材を介在させず直接的に前記電源供給導電路１００に接続されるため、柔軟性のある部材によるかみこみが発生しないので、組み付け作業を煩雑にすることなく発光素子３００の光軸が所定の方向に向けられるように組み付けすることができる。
【００６０】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００６１】
１，２      発光素子の接続構造
１０        意匠部
１０ａ      スイッチ取付部
１１        操作スイッチ
１２        クリップ
２０        照明機能部
３０        発光素子ユニット
３１        レンズ
４０ｆ，４０ｒ  バスバー
４１        外側壁
４２        内側壁
５０        発光素子接続固定部
５１        発光素子接続用弾性接触片
５２        発光素子当接迫出し壁部
５２ａ      光通過用切り欠き部
６０        ツェナーダイオード接続固定部
６１        ツェナーダイオード接続用弾性接触片
６２        ツェナーダイオード当接片部
７０        抵抗接続固定部
８０        端子接続用挟持部
８１        挟持片
８１ａ      先端縁面
８２        連結部
９０        ユニットハウジング
９０ａ      開口部
９１        底壁
９１ａ      抵抗挿入口
９１ｂ      傾斜面部
９１ｃ      端子挿入用開口部
９２        右壁
９２ａ      発光素子挿入口
９２ｂ      ツェナーダイオード挿入口
９３        左壁
９４        側壁
９５        隔壁
９６        バスバー収容部
９６ａ      端子接続側収容部
１００      電源供給導電路
１１０      突出端子
１１１      外部接続端子
２００      ハウジング
２１０      ユニット設置部
２１１      ユニット載置部
２１１ａ    載置面
２１２      突出端子保持部
２１３      位置決めガイド壁
３００      発光素子
３００ａ    電極
４００      ツェナーダイオード
４００ａ    電極
５００      抵抗
５００ａ    接点
６００      照明装置
【図１】
2014154536.tif 000003
【図２】
2014154536.tif 000004
【図３】
2014154536.tif 000005
【図４】
2014154536.tif 000006
【図５】
2014154536.tif 000007
【図６】
2014154536.tif 000008
【図７】
2014154536.tif 000009
【図８】
2014154536.tif 000010
【図９】
2014154536.tif 000011
【図１０】
2014154536.tif 000012
【図１１】
2014154536.tif 000013
【図１２】
2014154536.tif 000014
【図１３】
2014154536.tif 000015
【図１４】
2014154536.tif 000016
【図１５】
2014154536.tif 000017
【図１６】
2014154536.tif 000018